(57)【特許請求の範囲】
【請求項１】
専用内線電話機および構内交換機を有する構内交換機システムであって、
前記構内交換機は、設置場所コードを記憶した設置場所記憶部と、前記設置場所コードに対応して前記専用内線電話機の特性を設定するための特性補正値コードを記憶した特性記憶部と、前記専用内線電話機との通信を行う内線インターフェイス部とを有し、
前記専用内線電話機は、前記構内交換機との通信を行うデータ通信部と、構内交換機から送信される特性補正値コードを記憶する特性補正値記憶部と、電話機の機種に対応するための機能および特性設定データを格納する機種特性記憶部と、初期値として設定された特性の制御値を格納する初期特性記憶部とを有し、
先ず専用内線電話機は前記機種特性記憶部のデータに基づき自身の機種を選択して前記初期特性記憶部に従って制御値を決定し、次に前記構内交換機は前記設置場所コードに応じた前記特性補正値コードを前記特性記憶部から取り出して前記専用内線電話機に送信し、さらに、前記専用内線電話機は送信された前記特性補正値コードを前記特性補正値記憶部に記憶した後、前記特性補正値コードに従って前記初期特性記憶部の制御値を補正して設定することを特徴とする構内交換機システム。
【請求項２】
専用内線電話機および構内交換機を有する構内交換機システムにおける専用内線電話機の設定方法であって、
前記構内交換機は、設置場所コードを記憶した設置場所記憶部と、前記設置場所コードに対応して前記専用内線電話機の特性を設定するための特性補正値コードを記憶した特性記憶部と、前記専用内線電話機との通信を行う内線インターフェイス部とを有し、
前記専用内線電話機は、前記構内交換機との通信を行うデータ通信部と、構内交換機から送信される特性補正値コードを記憶する特性補正値記憶部と、電話機の機種に対応するための機能および特性設定データを格納する機種特性記憶部と、初期値として設定された特性の制御値を格納する初期特性記憶部とを有し、
専用内線電話機は前記機種特性記憶部のデータに基づき自身の機種を選択する機種選択ステップと、
前記初期特性記憶部に従って前記専用内線電話機の制御値を決定する制御値決定ステップと、
前記構内交換機は、前記設置場所コードに応じた前記特性補正値コードを前記特性記憶部から取り出して前記専用内線電話機に送信する特性補正値コード送信ステップと、
前記専用内線電話機は送信された前記特性補正値コードを前記特性補正値記憶部に記憶する特性補正値コード記憶ステップと、
前記専用内線電話機は前記特性補正値コードに従って前記初期特性記憶部の制御値を補正して設定する特性補正ステップとを有することを特徴とする構内交換機システムにおける専用内線電話機の設定方法。
【請求項３】
前記専用内線電話機は、前記構内交換機から前記特性補正値コードが送信されない場合若しくは送信されるまでの間は、前記初期特性記憶部の前記特性の制御値により前記専用電話機の電話機特性を制御することを特徴とする請求項１記載の構内交換機システム。
【請求項４】
前記専用内線電話機は入力手段を有し、前記入力手段からの所定情報入力により、前記特性補正値記憶部に記憶された特性補正値コードを変更可能であることを特徴とする請求項１または請求項３に記載の構内交換機システム。
【請求項５】
前記構内交換機は、補足した局線がアナログ局線またはデジタル局線に使用可能な局線インターフェイスを有し局線種別データを前記専用内線電話機へ送信可能であって、
前記専用内線電話機は、送話音声信号を減衰させて側音にする側音アッテネータを有し、前記側音アッテネータの減衰量に関する前記特性補正値記憶部の前記特性補正値コードは前記局線インターフェイスがデジタル局線に使用されるときに有効とすることを特徴とする請求項１記載の構内交換機システム。
【請求項６】
前記専用内線電話機は、前記局線種別データがアナログ局線であることを前記構内交換機から送信された場合は、前記特性補正値記憶部の前記特性補正値コードのうち前記側音アッテネータの減衰量を無限に設定することを特徴とする請求項５記載の構内交換機システム。
【発明の詳細な説明】
【０００１】
【発明の属する技術分野】
本発明は、主装置と、その主装置に接続される専用内線電話機とから構成される構内交換機システムに関する。
【０００２】
【従来の技術】
従来、専用内線電話装置を含む構内交換機システムを世界の国々に販売しようとする場合には、各国々毎に電話特性規格（たとえば、アメリカであればＦＣＣ規格、ドイツであればＥＴＳＩ規格）を適合しなければならない。これらの電話特性規格は、ほとんど同様の国々もあるが、異なる国々も多く存在するため、専用内線電話機側のハードウェア等の変更により対応しなければならず、結果として複数の電話特性（送受話のレベルや周波数特性等）の異なった専用内線電話機が必要となっていた。また、各国の電話特性規格の制約以外にも、市場からの要望により異なった特性（ベル着信音やスピーカーフォンのレベル等）が必要になる場合もあり、同様のことがいえた。
【０００３】
【発明が解決しようとする課題】
しかしながら上述のような場合、同一機種を仕向け地ごとに複数の製品を製造する必要が生じ、開発コスト、製造コストおよび製品流通の面で非常に負担がかかっていたため、多くの国への市場参入を行う場合の足かせとなっていた。
【０００４】
本発明は、上記従来の課題に鑑み、専用内線電話機の共用化を図ることを目的とする。
【０００５】
【課題を解決するための手段】
本発明は上記従来の課題を解決するために、専用内線電話機および構内交換機を有する構内交換機システムであって、構内交換機は、設置場所コードを記憶した設置場所記憶部と、設置場所コードに対応して専用内線電話機の特性を設定するための特性補正値コードを記憶した特性記憶部と、専用内線電話機との通信を行う内線インターフェイス部とを有し、専用内線電話機は、構内交換機との通信を行うデータ通信部と、構内交換機から送信される特性補正値コードを記憶する特性補正値記憶部と、電話機の機種に対応するための機能および特性設定データを格納する機種特性記憶部と、初期値として設定された特性の制御値を格納する初期特性記憶部とを有し、先ず専用内線電話機は機種特性記憶部のデータに基づき自身の機種を選択して初期特性記憶部に従って制御値を決定し、次に構内交換機は設置場所コードに応じた特性補正値コードを特性記憶部から取り出して専用内線電話機に送信し、さらに、専用内線電話機は送信された特性補正値コードを特性補正値記憶部に記憶した後、特性補正値コードに従って初期特性記憶部の制御値を補正して設定することを特徴とする構内交換機システムとしたものである。この構内交換機システムの構成により、それぞれの設置場所毎の規格に対応した専用内線電話機を共用化できる構内電話システムを実現することができる。
【０００６】
【発明の実施の形態】
本発明における第１の発明は、専用内線電話機および構内交換機を有する構内交換機システムおよびその専用内線電話機の設定方法であって、構内交換機は、設置場所コードを記憶した設置場所記憶部と、設置場所コードに対応して専用内線電話機の特性を設定するための特性補正値コードを記憶した特性記憶部と、専用内線電話機との通信を行う内線インターフェイス部とを有し、専用内線電話機は、構内交換機との通信を行うデータ通信部と、構内交換機から送信される特性補正値コードを記憶する特性補正値記憶部と、電話機の機種に対応するための機能および特性設定データを格納する機種特性記憶部と、初期値として設定された特性の制御値を格納する初期特性記憶部とを有し、先ず専用内線電話機は機種特性記憶部のデータに基づき自身の機種を選択して初期特性記憶部に従って制御値を決定し、次に構内交換機は設置場所コードに応じた特性補正値コードを特性記憶部から取り出して専用内線電話機に送信し、さらに、専用内線電話機は送信された特性補正値コードを特性補正値記憶部に記憶した後、特性補正値コードに従って初期特性記憶部の制御値を補正して設定することを特徴とする構内交換機システムおよびその専用内線電話機の設定方法としたものである。
これにより、各設置場所に応じて、専用内線電話機の特性が設定されるという作用を有する。たとえば、ドイツ向けには設置コード１をアメリカ向けには設置コード２を予め設定しておくことにより、このコードから専用内線電話機に対し設定すべき電話機特性のデータを送信することができるようになるため、特性記憶部に設置場所コードに対応するすべての電話機特性データを記憶させておくことにより構内交換機の共用化を図ることができるという作用を有する。
特に、構内交換機から送られてくる特性補正値コードに従って電話機特性を自動的に変更できるようにしたので、たとえば、専用内線電話機に各国の電話規格等に対応できるように電子ボリーム等でレベル等を設定できるようにすれば、専用内線電話機の共用化を図ることができるという作用を有する。
【０００７】
本発明における第２の発明は、上述の第１の発明に加えて、専用内線電話機は、構内交換機から特性補正値コードが送信されない場合若しくは送信されるまでの間は、初期特性記憶部の特性の制御値により専用電話機の電話機特性を制御することを特徴とするものである。
これにより、特性補正値コードを専用内線電話機に伝送する仕組みを持たない主装置に接続された場合でも、電話機の初期補正値設定データを適切に設定することで、電話機としての基本特性を確保することが可能となるという作用を有する。
【０００８】
本発明における第３の発明は、上述の第１および第２の発明に加えて、専用内線電話機は入力手段を有し、入力手段からの所定情報入力により、特性補正値記憶部に記憶された特性補正値コードを変更可能であることを特徴とするものである。
これにより、入力手段から所定の情報入力により、特性補正値記憶部の特性補正値データを変更することができるようにしたものであり、専用内線電話機の使用者からであっても容易に電話機の特性を変更することができるので、利便性を図った構内交換機システムを提供することができるという作用を有する。
【００１０】
本発明における第４の発明は、上述の第１の発明に加え特に専用内線電話機の側音特性に関し、構内交換機は、補足した局線がアナログ局線またはデジタル局線に使用可能な局線インターフェイスを有し局線種別データを専用内線電話機へ送信可能であって、専用内線電話機は、送話音声信号を減衰させて側音にする側音アッテネータを有し、側音アッテネータの減衰量に関する特性補正値記憶部の特性補正値コードは局線インターフェイスがデジタル局線に使用されるときに有効とすることを特徴とするものである。とりわけ、専用内線電話機は、局線種別データがアナログ局線であることを構内交換機から送信された場合は、特性補正値記憶部の特性補正値コードのうち側音アッテネータの減衰量を無限に設定することを特徴とするものである。
【００１１】
専用内線電話機と接続している回線の接続種類ごとに側音のレベルを変更することができるため、すべての接続種類に対して同等の側音レベルになるように特性記憶部に設定しておけば、すべての接続先に対して、一定した側音レベルになり違和感がない通話を提供できるという作用を有する。また、専用内線電話機の使用者に適した側音レベルにもできるという作用を有する。
【００１２】
接続種類のデータは、デジタル回線とアナログ回線との２種類のデータであり、デジタル回線のデータ種別であれば側音レベルをあげ、アナログ回線のデータ種別であれば側音レベルをさげるようにしたものであり、これにより、戻りの少ないデジタル回線と戻りの多いアナログ回線を使用した場合でも、同様の側音レベルとなり、違和感のない通話を提供できるという作用を有する。
【００１３】
以下、本発明の実施の形態について図面を参照して説明する。
【００１４】
（実施の形態１）
図１は、本発明の実施の形態１における構内交換機システムの主装置と、その専用内線電話機の構成およびブロック図を示すものである。
【００１５】
図１において、１は主装置、２は局線、３は専用内線電話機を示す。
【００１６】
前記主装置１は、アナログ局線用インターフェイスおよびデジタル局線用インターフェイスを有する局線インターフェイス部４と、専用内線電話機３との音声データや制御データ等のやり取りを行うデータ通信回路を備えた内線インターフェイス部５と、設置場所コードを設定するために３ビットのＳＷ（ＳＷ３〜ＳＷ５）で構成され、かつ、設置場所毎にスイッチの値が決めれられる設置場所コードスイッチ６と、外部にパソコン等を接続し、主装置１の制御部１０とデータの通信を行うことができるシリアルポート７と、専用内線電話機の通話特性やＤＴＭＦ特性等を設定するためのデータが格納され、かつ、その特性が予め製造時、若しくはシリアルポート７に接続したパソコン等を通じて設定される特性記憶部８と、設置場所コードを記憶し、かつ、設置場所コードは電源ＯＮ時に設置場所コードスイッチ７から、若しくはシリアルポート７に接続したパソコン等を通じて設定される設置場所記憶部９と、主装置全体を制御する主装置制御部１０を備えて構成されている。
【００１７】
専用内線電話機３は、主装置１とのデータ通信を行うためのデータ通信部１１と、音声帯域のアナログ信号とデジタル信号（ＰＣＭ信号）とを変換するコーデック１２と、ハンドセット受話の周波数特性を調整するためのフィルタ回路１３と、ハンドセット受話レベル調整用電子ボリューム１４と、ハンドセット送話の周波数特性を調整するためのフィルタ回路１５と、ハンドセット送話レベル調整用電子ボリューム１６と、ハンドセット１７と、ハンドセットの側音調整用電子ボリューム（アッテネータ）１８と、ハンズフリー受話の周波数特性を調整する為のフィルタ回路１９と、ハンズフリー受話のレベルを調整するための電子ボリューム２０と、スピーカ２１と、マイク２２と、ハンズフリー送話の周波数特性を調整するためのフィルタ回路２３と、ハンズフリー送話のレベルを調整するための電子ボリューム２４と、端子１側がハンドセット通話、端子２側がハンズフリー送話とし、ハンドセット通話とハンズフリー送話との音声パス切換スイッチ２５と、局線に送出するＤＴＭＦ信号および専用内線電話機のベル着信音を生成するためのＤＴＭＦジェネレータ２６と、ＤＴＭＦ信号の送出レベルを設定するための電子ボリューム２７と、ベル着信音のレベルを調整するための電子ボリューム２８と、ダイヤルおよび各種機能を実現するためのキーボード等の入力手段２９と、専用内線電話機３の機種コードを設定するために２ビットのスイッチ（ＳＷ６、ＳＷ７）から構成される機種種別選択スイッチ３０と、専用内線電話機３全体を制御する電話機制御部３１と、主装置１から補正コードが送られてきた場合にそのコードを格納する特性補正値記憶部３２と、予め複数機種分の機能および特性設定データ（Ａ機種用データ、Ｂ機種用データ、・・）が格納され、かつ、データの書き換えができないような１種類のワンチップマイコンであっても複数機種の専用内線電話機に対応できるようにしている機種特性記憶部３３と、予め初期値として設定された特性の制御値を格納する初期特性記憶部３４を備えて構成されている。
【００１８】
図２は、図１の特性記憶部８に書き込まれた、専用内線電話機の特性を設定するためのデータ例を示しており、図中の５０は設置場所記憶部に記憶されている３ビットで構成の設置場所を表わす設置場所コード、５１はハンドセット通話特性（レベル、広域周波数特性、低域周波数特性、側音レベル）に関する設定項目、５２はハンズフリー通話特性（レベル、広域周波数特性、低域周波数特性、側音レベル）を設定するための設定項目、５３はベル音量の最大値及び最小値の設定、５４はＤＴＭＦ出力レベル設定項目である。また、５５はアナログ局線が使用されているのか、デジタル局線が使用されているのかを区別するための局線種別情報であり、この情報をもとにハンドセット通話時の側音制御を行うためのものである。これらの特性のデータは５６に示すように４ビットで構成される特性補正値コードとして設定される。専用内線電話機に対しては、設置場所コードに対応したこの特性補正値コードが送信されることになる。
【００１９】
図３は主装置から送られ、補正値記憶部３２に格納された特性補正値コード５６に対応した特性補正値変換テーブルである。この特性補正値変換テーブルは、特性補正コード５６の情報をもとに、電子ボリューム（１４、１６、２０、２４、２７、２８）、フィルター回路（１３、１５、１９、２３）およびアッテネータ１８の制御値を決定するのに用いられ、電話機制御部３１により実行される。たとえば、特性補正値コード５６として送られるハンドセット送話レベルが"００１０"であった場合、特性補正値変換テーブルから＋２ｄＢになるように電子ボリューム１６が設定される。
【００２０】
以下、前記実施の形態１における各部の動作について図４、図５のフローチャートにを用いて説明する。
【００２１】
主装置１に電源投入すると（Ｓ１）、設置場所コードスイッチ６により選択された設置場所コード５０を設置場所記憶部９に記憶し（Ｓ２）、その記憶された設置場所コードに対応した特性補正コード５６を特性記憶部８から読み込む（Ｓ３）。次に、内線インターフェイス部５に専用内線電話機３が接続されているかどうかをデータ通信回路により確認し（Ｓ４）、専用内線電話機３が新規に接続された場合（Ｓ５）に、上記Ｓ３で読み込まれた特性補正コード５６を専用内線電話機３に送信する（Ｓ６）。
【００２２】
一方、専用内線電話機３は主装置１に接続されると（Ｓ７）、先ず機種種別選択スイッチ３０の状態を読み込み、専用内線電話機３の機種を選択する（Ｓ８）。初期特性記憶部３４に予め初期値として設定されているコードに従って、各電子ボリューム（１４、１６、２０、２４、２７、２８）、各フィルター回路（１３、１５、１９、２３）およびアッテネータ１８の制御値を決定する（Ｓ９）。その後、主装置１から送信される特性補正値コード５６を特性補正値記憶部３２に記憶した（Ｓ１０）後、特性補正コード５６に対応した該当の回路（電子ボリーム、フィルタ回路、アッテネータ）の制御を行う（Ｓ１１）。
【００２３】
たとえば、設置場所コードスイッチ６により設置場所記憶部９に記憶された設置場所コードがドイツの国コード（０００）であった場合、主装置１からは図２に示すようにハンドセット送話レベル（００１０）、ハンドセット送話の高域周波数特性レベル（０００１）、ハンドセット送話の低域周波数特性レベル（０１００）、ＤＴＭＦ送出レベル（００１１）〜局線種別（０００１）の特性補正値コード５６が専用内線電話機３に送出される。これを受け、専用内線電話機３は、図３の変換テーブルに従って、ハンドセット送話レベルを（＋２ｄB）、ハンドセット送話の高域周波数特性レベルを（＋４ｄB）、ハンドセット送話の低域周波数特性レベルを（−２ｄB）、ＤＴＭＦ送出のレベルを（０ｄB）に補正する。
【００２４】
以上のように、専用内線電話機３自体の初期特性設定データ、および主装置１からのデータダウンロードにより、専用内線電話機３の各電子ボリューム、フィルター回路、およびアッテネータのレベル設定等が完了するため、各設置場所毎に通話特性規格が異なる場合でも、専用内線電話機３は１種類のハードウエアで賄うことができ、それぞれの設置場所毎の規格に対応した専用内線電話機３を開発する必要がなく、大幅な開発効率化が可能となる。
【００２５】
また、専用内線電話機３の機種特性記憶部３３には、複数種類の電話機（たとえばＡ機種＝ハンズフリー機能有モデル、Ｂ機種＝スピーカー付モデル、Ｃ機種＝ハンドセットのみのモデル等）の制御を行うためのプログラムも同時に格納されており、機種種別選択スイッチ３０からの情報により機種種別を特定するしくみになっている。このとき、主装置１から送られてくる特性補正値コードは、全ての機能の特性を網羅した形で専用内線電話機３に送られてくるが、不必要なデータ（たとえばＣ機種に付いては、ハンズフリー通話特性補正値（５２）は不要）は電話機側の機種種別認識により自動的に無視するしくみになっているため、主装置１、専用内線電話機３間のデータフォーマットは１種類しか必要とせず、効率の良い制御が可能になる。
また、１チップマイコン等プログラムをマスクし、マイコン外部に機種コード設定部を設けていることで、機種毎にマスクしたマイコンを作る必要がなく、コストを押さえることもできるという作用も有する。
【００２６】
さらに、上述の流れに基づいて設定された特性に対して、各内線毎に、個別に特定の特性を変更したい（たとえば、ハンドセットの受話レベルをアップしたい）等の要望に対しては、専用内線電話機３のキーボード等の入力手段２９から、変更したい特性設定項目コード５７を入力後、特性補正値コード５８の中から、好みのデータを入力することにより、特性補正値記憶部３２に設定されている補正値を書き換えることができ、目的とする特性の設定変更が可能となる。
【００２７】
また、初期特性記憶部には、予め設定されている初期補正値設定データが格納されているので、特性補正値コードを専用内線電話機３に伝送する仕組みを持たない主装置１に接続された場合でも、電話機の初期補正値設定データを適切に設定することで、電話機としての基本特性を確保することが可能となる。
【００２８】
（実施の形態２）
図１において、専用内線電話機３はハンドセット１７を用いてデジタル局線を使用し、相手と通話中の状態を示しているものとする。これを用いて側音制御の動作を説明する。
【００２９】
局線２からの音声信号は局線インターフェイス４→内線インターフェイス５→データ通信回路１１→コーデック（ＣＯＤＥＣ）１２→フィルタ１３→アンプ１４経由し、ハンドセット１７で受信される。同様にハンドセット１７からの音声送出信号は、フィルター１５→アンプ１６→コーデック（ＣＯＤＥＣ）１２→データ通信回路１１→内線インターフェイス５→局線インターフェイス４→局線２へと送出される。このとき、アンプ１６を通過した送話音声信号の一部はＡＴＴ１８にて減衰されて側音となり、受話信号とミキシングされ、フィルタ１３を経由してハンドセット１７で受信される。ただし、このとき、専用内線電話機３が主装置１の局線インターフェイス４においてアナログ局線を補足した場合は、主装置１からの送信される局線種別データ５５（アナログ＝００００）に基づき補正値記憶部３２の設定値によりアッテネータ１８の減衰量が無限（∞）に設定され、ハンドセット送話信号の専用内線電話機３自体での戻り分は完全に遮断され、局線２からの信号の戻り成分だけが側音となってハンドセット１７で受信される。アッテネータ１８の減衰量設定値は局線インターフェイス４においてデジタル局線が使用されるとき（局線種別データ５５＝０００１）のみ任意設定が有効となり、アナログ局線が選択された場合は前述の通り減衰量が無限（∞）となる。このことにより、デジタル局線使用時に側音レベルを調整することで、アナログ局線使用時と同様に違和感の無い通話を確保することが可能になる。
【００３０】
【発明の効果】
以上の説明より明らかなように本発明は、構内交換機に、設置場所コードを設け、そのコードに従った特性補正値データを専用内線電話機に送信するようにしたので、構内交換機や専用内線電話機の共用化を図った構内電話システムを提供することができる。また、専用内線電話機の通話先情報を主装置から当該専用内線電話機に送信するようにしたので、通話先に応じた側音レベルの補正をすることができるものであり、その効果は大きい。
【図面の簡単な説明】
【図１】本発明の実施の形態１における構内交換機システムのブロック図
【図２】同構内交換機システムにおける主装置の特性記憶部のデータ構成を示す図
【図３】同構内交換機システムにおける専用内線電話機の特性補正値変換テーブル図
【図４】同構内交換機システムにおける主装置側のゲイン設定制御のフローチャート
【図５】同構内交換機システムにおける専用内線電話機側のゲイン設定制御フローチャート
【符号の説明】
１  主装置
２  局線
３  専用内線電話機
４  局線インターフェイス
５  内線インターフェイス
６  設置場所コードスイッチ
７  シリアルポート
８  特性記憶部
９  設置場所記憶部
１０  主装置制御部
１１  データ通信回路
１２  ＣＯＤＥＣ
１３  周波数特性調整用フィルタ回路
１４  ハンドセット受話レベル調整用電子ボリューム
１５  周波数特性調整用フィルタ回路
１６  ハンドセット受話レベル調整用電子ボリューム
１７  ハンドセット
１８  ハンドセットの側音調整用アッテネータ
１９  ハンズフリー受話の周波数特性調整用フィルタ回路
２０  ハンズフリー受話のレベル調整用電子ボリューム
２１  スピーカ
２２  マイク
２３  周波数特性調整用フィルタ回路
２４  レベル調整用電子ボリューム
２５  切換スイッチ
２６  ＤＴＭＦジェネレータ
２７  ＤＴＭＦ信号の送出レベル設定用電子ボリューム
２８  ベル着信音のレベル調整用電子ボリューム
２９  入力手段
３０  機種種別選択スイッチ
３１  電話機制御部
３２  特性補正値記憶部
３３  機種特性記憶部
３４  初期特性記憶部
【図１】
0003705053.tif 000002
【図２】
0003705053.tif 000003
【図３】
0003705053.tif 000004
【図４】
0003705053.tif 000005
【図５】
0003705053.tif 000006